(57)【特許請求の範囲】
【請求項１】
プラントの運転状態を画面上に表示することによって、前記プラントの半自動運転を支援するプラント運転支援装置において、
プラントを工程ごとに示した複数の工程表示ブロックと、各工程に対応して表示され、自動化部分及び手動確認操作を有する半自動運転より手動確認操作の項目を選んで示す複数の確認操作ブロックとを工程順および確認操作順にそれぞれ配置したブロック図形式で画面内に表示する表示手段と、
前記確認操作ブロックの表示形態を前記表示装置上で変更することで前記手動確認操作の項目の確認を促す表示形態変更手段と、
前記表示形態変更手段により確認を促された確認操作ブロックに対して該項目が確認済みであることを入力する第１入力手段と、
各工程の運転手順に関するテキスト情報を記憶する記憶手段と、
前記運転手順に関するテキスト情報を表示させるために前記工程表示ブロックに関連付けて設けられた第２入力手段と、を備え、
前記表示手段は、前記第２入力手段による入力結果に基づいて、前記記憶手段に記憶された運転手順に関するテキスト情報を自動化部分と手動確認操作とを併せた状態で前記工程表示ブロックに対応して表示すると共に、前記第１入力手段による入力結果に基づいて前記表示形態変更手段が前記確認操作ブロックの表示形態をさらに変更して確認操作順に運転が進められる構成とされていることを特徴とするプラント運転支援装置。
【請求項２】
請求項１記載のプラント運転支援装置において、前記運転手順に関するテキスト情報を表示する運転手順ウィンドウが、前記工程表示ブロックおよび前記確認操作ブロックを表示する進捗状況画面に重ねて表示するように構成されていることを特徴とするプラント運転支援装置。
【請求項３】
請求項１または２記載のプラント運転支援装置において、前記表示手段は、前記運転手順に関するテキスト情報を半自動運転の自動化部分と手動確認操作とを区別し表示形態を変えて表示するように構成されていることを特徴とするプラント運転支援装置。
【請求項４】
請求項１ないし３のいずれかに記載のプラント運転支援装置において、前記表示手段は、それぞれ前記工程表示ブロックを少なくとも示す複数の第１階層画面と、該複数の第１階層画面に表示される複数の前記工程表示ブロックをまとめた上位ブロックで示す第２階層画面とから構成される複数の階層画面を選択的に表示するように構成されていることを特徴とするプラント運転支援装置。
【請求項５】
請求項１ないし４のいずれかに記載のプラント運転支援装置において、前記表示装置の画面には工程のプラント状態を示す数値情報を表示するように構成されていることを特徴とするプラント運転支援装置。
【請求項６】
請求項１ないし５のいずれかに記載のプラント運転支援装置において、前記工程表示ブロックが並列処理工程を有するプラントの工程を表すことを特徴とするプラント運転支援装置。
【発明の詳細な説明】
【０００１】
【発明の属する技術分野】
本発明は、例えば、化学製品製造プラント、石油化学製品製造プラント、石油精製プラント、鉄鋼製品プラント、食品製造プラント、紙パルプ製品製造プラント、医薬製品製造プラント、自動車製造プラント、機械製品製造プラント、電機製品製造プラントなどの各種製造プラントまたは発電プラント、廃棄物処理プラント等の運転を支援するプラント運転支援装置に関する。
【０００２】
【従来の技術】
従来より、製造プラントなどの運転を監視・制御するためには分散型制御システム（ＤＣＳ）などの監視制御装置が用いられ、運転員は該監視制御装置を用いて前記製造プラントの監視および操作を行っている。この監視および操作は、前記製造プラントの運転状態、特に、製品を安定して製造している定常運転と、運転開始、停止などの非定常運転とではその内容が大きく異なる。すなわち、定常運転では、ほぼ同じ運転を長期間行っており、その間、運転員はほぼ同じ監視および操作を繰り返し行っているが、非定常運転は、発生頻度が少なく、さらに運転員の監視および操作の内容も定常運転時と異なり多いので、定常運転のように同じ監視および操作の繰り返しでは対応できない。そこで、運転員は、非定常運転の監視および操作の内容を間違えないように、紙に印字した確認操作書を見ながらその内容をチェックし、プラントの運転の確認操作を行っていた。このように、運転員は、定常運転ではほとんど使わない確認操作書を見ることに加えて、非定常運転の監視および操作の内容も定常運転時と異なり多いことから、大きな負担がかかっていた。
【０００３】
そこで、この負担を軽減するものとして、上記プラントの運転の監視と確認操作の一部とを自動運転プログラムを利用して代行し、自動的に目標とする運転状態にプラントを制御するプラント運転支援装置が提案されている。
【０００４】
このようなプラント運転支援装置として、例えば、特開２０００−５６８２４号公報のようなものが挙げられる。このプラント運転支援装置では、プラント運転手順、確認操作項目、および異常発生時の対応操作が文章で記憶されており、その文章が画面上に表示される。運転員は、該画面上に表示されたプラント運転手順などの文章を読みながら、その文章をマウスなどでクリック操作することでプラントの運転に必要な情報を画面に呼び出し、プラントの運転の確認操作を行うことができるようになっている。
【０００５】
【発明が解決しようとする課題】
しかしながら、上述のプラント運転支援装置は、運転員が紙に印字した確認操作書をチェックする必要はなくなったが、画面上に表示されたプラント運転手順などの文章を読みながらプラントの運転の確認操作を行うという負担は依然として残っている。
【０００６】
また、上記プラント運転手順などの文章は、プラントの工程の進捗状況を示すものでなく、運転員は、さらにプラント運転支援装置とは別個に得られた情報を加味してプラントの工程の進捗状況などを把握することでプラントの運転の確認操作を行っていた。
【０００７】
そこで、本発明は、上記問題点に鑑みてなされたものであり、プラントの運転の確認操作および工程の進捗状況などに関する情報を分かりやすく表示させ、運転員と監視制御装置とが対話形式でプラントの運転を進められるようにすることにより、運転員に対する負担の軽減を図ったプラント運転支援装置を提供することを目的とする。
【０００８】
【課題を解決するための手段】
上記目的を達成するために、本発明は、プラントの運転状態を画面上に表示することによって、前記プラントの半自動運転を支援するプラント運転支援装置において、  プラントを工程ごとに示した複数の工程表示ブロックと、各工程に対応して表示され、自動化部分及び手動確認操作を有する半自動運転より手動確認操作の項目を選んで示す複数の確認操作ブロックとを工程順および確認操作順にそれぞれ配置したブロック図形式で画面内に表示する表示手段と、前記確認操作ブロックの表示形態を前記表示装置上で変更することで前記手動確認操作の項目の確認を促す表示形態変更手段と、前記表示形態変更手段により確認を促された確認操作ブロックに対して該項目が確認済みであることを入力する第１入力手段と、各工程の運転手順に関するテキスト情報を記憶する記憶手段と、前記運転手順に関するテキスト情報を表示させるために前記工程表示ブロックに関連付けて設けられた第２入力手段と、を備え、前記表示手段は、前記第２入力手段による入力結果に基づいて、前記記憶手段に記憶された運転手順に関するテキスト情報を自動化部分と手動確認操作とを併せた状態で前記工程表示ブロックに対応して表示すると共に、前記第１入力手段による入力結果に基づいて前記表示形態変更手段が前記確認操作ブロックの表示形態をさらに変更して確認操作順に運転が進められる構成とされていることを特徴とする。
【０００９】
この構成によれば、前記プラントの工程および確認操作項目がそれぞれブロック図形式で画面上に表示され、両方のブロックの表示形態がそれぞれプラントの運転の進捗状況に応じて変更される。これにより、運転員は前記工程および確認操作項目に関する進捗状態を容易に把握することができる。
【００１０】
ここで、工程とは、プラントの「前処理」、「反応」、「精製」…などの大きな分類による工程だけでなく、この工程をさらに細分化した「原材料を仕込む」、「撹拌する」…などの操作手順を示す作業工程などを意味する。また、これらの工程は、必ずしも直列に処理される必要はなく、並列処理工程も含まれる。また、半自動運転とは、プラントの自動運転に運転員が介在し、運転員が重要な操作の前に確認操作などの手動確認操作を行い、プラントの運転を進める場合をいう。
【００１１】
また、前記確認操作項目の確認を促す情報を画面に表示させることで、運転員に対して確実に確認操作を行わせることができる。即ち、上述の手動確認操作の項目の確認を促す情報を画面に表示させたあとに、第１入力手段を用いて該項目が確認済みであるか否かを入力させることにより、運転員は前記項目に対する確認操作を促され、確認操作忘れを防止することができる。ここで、第１入力手段としては、前記表示手段と操作卓とを別体とし、運転員がマウスなどのクリック操作または操作卓から直接入力することにより必要な情報を画面上に呼び出すことが一般的ではあるが、運転員の操作を簡単にするためにこれらを一体としたタッチパネル方式の表示装置を用いて、表示画面の必要箇所を直接指などで触れることにより必要な情報を画面上に呼び出すことも可能である。
【００１２】
また、前記表示手段は、前記第２入力手段による入力結果に基づいて、前記記憶手段に記憶された対応する運転手順に関する情報を前記工程表示ブロックに関連付けて表示させる。これにより、運転員は、紙に印字した確認操作書などを見る必要がなく、画面上で前記運転手順を確認することができる。また、上記第２入力手段は、マウスなどのクリック操作による入力方式またはタッチパネル方式を用いることが好ましい。
【００１３】
また、本発明は、前記運転手順に関するテキスト情報を表示する運転手順ウィンドウが、前記工程表示ブロックおよび前記確認操作ブロックを表示する進捗状況画面に重ねて表示するように構成される。このようにすると、運転手順に関するテキスト情報を同画面内に表示させながら進捗状況画面を確認することができる。
【００１４】
また、本発明は、前記表示手段が、前記運転手順に関するテキスト情報を半自動運転の自動化部分と手動確認操作とを区別し表示形態を変えて表示するように構成され、たとえば色の変更または下線などを用いてそれぞれ区別するとよい。
【００１５】
また、本発明は、前記表示手段が、それぞれ前記工程表示ブロックを少なくとも示す複数の第１階層画面と、該複数の第１階層画面に表示される複数の前記工程表示ブロックをまとめた上位ブロックで示す第２階層画面とから構成される複数の階層画面を選択的に表示するように構成される。例えば、第２階層画面をプラントの全体工程とすれば、運転員は、前記プラントの全体工程が表示される画面および該全体工程を構成する個々の工程の進捗状況が表示される画面を切替えて表示させることにより容易に全体および個々の工程を把握することができる。さらに、前記工程表示ブロックの表示形態変更手段を併せて用いれば、プラントの全体工程の進捗状況を容易に把握することができる。
【００１６】
また、本発明は、前記表示装置の画面には工程のプラント状態を示す数値情報を表示するように構成され、該数値情報としては監視に必要なプロセスの情報、たとえばバルブ開度、流量設定値などを表示すると好ましい。
【００１７】
また、本発明は、前記工程表示ブロックが並列処理工程を有するプラントの工程を表してもよい。
【００１８】
また、本発明は、監視制御装置の監視・制御に関する機能の一部を実行するプラント運転補助用計算機をさらに備え、前記監視制御装置が前記表示手段および表示変更手段を備える。これにより、前記監視制御装置の記憶容量の制限を受けることなく大きなサイズの自動運転プログラムを実行することができる。さらに、従来より、プラント運転補助用計算機と監視制御装置とのそれぞれに表示されていたプラントの監視および操作に必要な情報が、前記監視制御装置にまとめて表示されることにより、運転員の負担を軽減することもできる。
【００１９】
【発明の実施の形態】
以下、添付図面を参照して本発明の実施の形態について説明する。
【００２０】
図１は、本実施の形態に係るプラント運転支援装置と該プラント運転支援装置が制御対象とするプラントとの全体構成例を示すブロック図である。図１において、プラント８は、任意のプラントであり、ここでは、単純な製造プラントとして例示してある。プラント８は、上流から下流に向けてタンク８１、ポンプ８３、手動弁８９、流量計８５および調節弁８６などから構成されている。タンク８１には該タンク８１内の液面レベルを測定する液面計８２が付設されている。また、プラント８は、プラント運転支援装置１を構成する後述の監視制御装置２０と接続されており、プラント８の運転に関する信号を後述の監視制御装置２０との間で送信または受信する。例えば、プラント８からは、ポンプの運転状態信号８４、液面計８２の液面指示値、流量計８５の流量指示値などのプラント８の状態を示すプラント状態信号を送信する。また、後述の監視制御装置２０からは、ポンプ８３の起動信号８８および調節弁８６の開度出力信号８７などのプラント８への操作指令を示すプラント操作指令信号を送信する。
【００２１】
上述した簡単な構成のプラント８に基づき本発明に係るプラント運転支援装置１の構成および機能について以下説明する。
【００２２】
図１に示されるように、プラント運転支援装置１は、前記プラント８の監視・制御を行う監視制御装置２０と、該監視制御装置２０の監視・制御の一部機能を実行するプラント運転補助用計算機１０とから構成され、これらは通信可能に相互接続されている。
【００２３】
監視制御装置２０は、制御演算部２０ａ、記憶部２３、第１入出力装置２７および第２入出力装置２８などから構成されている。
【００２４】
制御演算部２０ａは、記憶部２３、第１入出力装置２７、および第２入出力装置２８と接続され、プラント８の監視および制御を行う。
【００２５】
第１入出力装置２７は、監視制御装置２０を専用ケーブル９１に接続し、プラント８と監視制御装置２０との間の信号の入出力を行う。
【００２６】
第２入出力装置２８は、監視制御装置２０をネットワーク９２に接続し、プラント運転補助用計算機１０と監視制御装置２０との間の信号の入出力を行う。
【００２７】
記憶部２３は、プラント状態記憶部２４、プラント操作指令記憶部２５、および表示状態記憶部２６などから構成される。プラント状態記憶部２４は、第１入出力装置２７を介して受信されたプラント８のプラント状態信号に関するプラント状態データ２４ａ、２４ｂ…を記憶する。また、プラント操作指令記憶部２５は、上記プラント操作指令信号に関するプラント操作指令データ２５ａ、２５ｂ…を記憶している。また、表示状態記憶部２６は、複数個の論理スイッチに関するＯＮ／ＯＦＦデータ２６ａ、２６ｂ…を記憶している。
【００２８】
また、監視制御装置２０の外部には、表示装置２１および操作卓２２が設けられ、制御演算部２０ａと接続されている。該表示装置２１は、タッチパネル方式の表示装置であり、後述のプラント８の運転の進捗状況画面２１１などを表示する。なお、表示装置２１および操作卓２２は、ここでは、監視制御装置２０の外部に接続されているが、監視制御装置２０の内部に組み込んでも構わない。
【００２９】
この構成により、制御演算部２０ａは、プラント８から第１入出力装置２７を介して入力された上記プラント状態信号を受信したあとプラント状態記憶部２４にプラント状態データ２４ａ、２４ｂ…として記憶する。さらに、制御演算部２０ａは、プラント状態記憶部２４に記憶されているプラント状態データ２４ａ、２４ｂ…に基づいて、操作指令値を演算し、演算結果に基づいてプラント操作指令記憶部２５に記憶されているプラント操作指令データ２５ａ、２５ｂ…を書き換え、該プラント操作指令データ２５ａ、２５ｂ…をプラント８に第１入出力装置２７を介して上記プラント操作指令信号として送りプラント８を運転制御している。
【００３０】
一方、前記プラント運転補助用計算機１０は、演算部１０ａ、記憶部１３および入出力装置１４などを備えている。また、プラント運転補助用計算機１０の外部には、表示装置１１および操作卓１２が設けられ、演算部１０ａと接続されている。なお、表示装置１１および操作卓１２は、ここでは、プラント運転補助用計算機１０の外部に接続されているが、プラント運転補助用計算機１０の内部に組み込んでも構わない。
【００３１】
演算部１０ａは、記憶部１３と入出力装置１４とに接続され、上記監視制御装置２０の監視・制御の機能の一部を代行している。
【００３２】
入出力装置１４は、プラント運転補助用計算機１０をネットワーク９２と接続し、プラント運転補助用計算機１０と監視制御装置２０との間の信号の入出力を行う。
【００３３】
記憶部１３は、プラント８の自動運転プログラム１３ｐなどを記憶している。
この自動運転プログラム１３ｐは、プラント８の運転制御などに関するプログラムである。
【００３４】
この構成により、演算部１０ａは、監視制御装置２０から第２入出力装置２８を介して入力されたプラント状態記憶部２４のプラント状態データおよび表示状態記憶部２６のＯＮ／ＯＦＦデータに基づいて、自動運転プログラム１３ｐを実行し、監視制御装置２０の表示状態記憶部２６に記憶されている論理スイッチに関するＯＮ／ＯＦＦデータ２６ａ、２６ｂ…の書き換えなどを行う。厳密には、演算部１０ａが、直接表示状態記憶部２６に記憶されている論理スイッチに関するＯＮ／ＯＦＦデータを書き換えるのではなく、プラント運転補助用計算機１０から送信される出力信号に基づき、監視制御装置２０が、表示状態記憶部２６に記憶されている論理スイッチに関するＯＮ／ＯＦＦデータ２６ａ、２６ｂ…を書き換える。この書き換えられた論理スイッチに関するＯＮ／ＯＦＦデータ２６ａ、２６ｂ…に基づき、監視制御装置２０が、後述の進捗状況画面２１１の工程表示ブロックの表示形態を変更するなど、画面の制御を行う。さらに、プラント運転補助用計算機１０は、論理スイッチに関するＯＮ／ＯＦＦデータ２６ａ、２６ｂ…に基づき、監視制御装置２０のプラント操作指令記憶部２５に記憶されているプラント操作指令データ２５ａ、２５ｂ…を書き換え、このプラント操作指令データ２５ａ、２５ｂ…に基づき、監視制御装置２０が出力信号をプラント８に送り、プラント８の運転制御を行う。
【００３５】
このように、プラント８およびプラント運転補助用計算機１０からの情報は、全て監視制御装置２０に集められ、監視制御装置２０の表示装置２１に表示される。これにより、運転員は、プラント運転補助用計算機１０の表示装置１１および操作卓１２を用いての監視または操作をする必要はなくなる。
【００３６】
なお、上述の自動運転プログラム１３ｐのサイズを小さくできる場合においては、プラント運転補助用計算機１０の機能を監視制御装置２０に組み込み一体とすることができる。
【００３７】
次に、本実施の形態に係る監視制御装置２０の表示装置２１に表示される各画面が有する機能について説明する。
【００３８】
図２は、プラント８の運転の進捗状況を表す進捗状況画面２１１の一例である。なお、説明の便宜上、この例では、プラント８の工程を工程Ａ、工程Ｂ、工程Ｃおよび工程Ｄの４つに区分している。
【００３９】
進捗状況画面２１１は、スタートのブロック３１ｓ、工程Ａの工程表示ブロック３１０、工程Ｂの工程表示ブロック３２０、工程Ｃの工程表示ブロック３３０、工程Ｄの工程表示ブロック３４０および終了のブロック３１ｅが工程順に直列および並列に並べられ、各ブロックは直線で接続したブロック図形式で構成されている。
【００４０】
また、工程Ａの工程表示ブロック３１０の左側には丸印で表した運転手順確認ボタンＨａが設けられ、さらに工程Ａの工程表示ブロック３１０の右側には確認操作ブロック３１１〜３１４が確認操作順に並べられている。同様に、工程Ｂの工程表示ブロック３２０の左右には、それぞれ運転手順確認ボタンＨｂと確認操作ブロック３２１〜３２３とが、工程Ｃの工程表示ブロック３３０の左右には、それぞれ運転手順確認ボタンＨｃと確認操作ブロック３３１〜３３３とが、および工程Ｄの工程表示ブロック３４０の左右には、それぞれ運転手順確認ボタンＨｄと確認操作ブロック３４１〜３４２とが設けられている。
【００４１】
さらに、ここでは、工程Ａの確認操作ブロック３１４の右側には、工程Ａに関係のあるプラント８のプラント状態を示す流量および液面が表示されている。同様に、工程Ｂの確認操作ブロック３２３の右側には、工程Ｂに関係のあるプラント８のプラント状態を示す温度が表示されている。これにより、プラント８の運転の進捗状況と合わせてプラント８の運転状態を把握することできる。
【００４２】
また、上述の工程表示ブロック３１０〜３４０および確認操作ブロック３１１〜３１４、３２１〜３２３、３３１〜３３３、３４１〜３４２は、プラントの運転の進捗に合わせて表示色が変更される。具体的には、プラント８の運転が開始されると、スタートのブロック３１ｓが実行中を示す色に変更されるとともに進捗状況画面２１１の工程Ａの工程表示ブロック３１０も実行中を示す色に変更され、工程Ａが運転中であることが示される。同時に、「現場確認済み」の確認操作ブロック３１１が、確認操作の要求を示す別の色に変更される。このような表示色の変更により、運転員にプラント８の事前準備確認または安全確認などの現場確認をするように促す。この表示色の変更に従い、運転員が、工程Ａに係る現場確認を済ませたあと、確認操作ブロック３１１を指などで触れると、図３に示すような操作確認ダイアログ６０が進捗状況画面２１１の一部に重ねて表示される。ここでは、操作確認ダイアログ６０は、ＯＮボタン６１ａとＯＦＦボタン６１ｂとから構成されている。そして、運転員は、ＯＮボタン６１ａを指などで触れると、確認操作ブロック３１１が、確認済みであることを示すさらに別の色に変更され、工程Ａに係る現場確認が完了したことになる。なお、操作確認ダイアログ６０は、ここに示したダイアログボックス形式に限定するものではない。そして、「現場確認済み」の確認操作ブロック３１１が確認済みであることを示すさらに別の色に変更されたあと、「ポンプ起動前確認」の確認操作ブロック３１２が同様の確認操作の要求をする。同様に、工程Ａの工程表示ブロック３１０に連なる各確認操作ブロック３１２〜３１４の順番で処理が進められ工程Ａが終了する。そして、工程Ａの工程表示ブロック３１０が確認済みであることを示す別の色に変更される。
【００４３】
以上のように、工程Ｂの工程表示ブロック３２０に連なる各確認操作ブロック３２１〜３２３、工程Ｃの工程表示ブロック３３０に連なる各確認操作ブロック３３１〜３３３または工程Ｄの工程表示ブロック３４０に連なる各確認操作ブロック３４１〜３４２の順番で処理が進められ、最後に終了のブロック３１ｅに達したところでプラント８の一連の工程が終了する。このようにプラント８の工程の進捗状況に関する情報および確認操作を促す情報が画面上に表示されることにより、運転員は、対話形式で確認操作を行うことができるようになっている。
【００４４】
また、工程Ｃおよび工程Ｄのように並列処理工程の工程表示ブロック３３０、３４０を画面上に表示させることもできる。これにより、プラント８の複雑な運転手順を前後関係または並列処理関係も含めて分かりやすく表示させることができる。
【００４５】
なお、本実施の形態では、ブロックの表示形態変更手段として表示色の変更で表示する例を示したが、点滅、または点滅と色変更とを組合わせるなどの方法も使用することが可能である。
【００４６】
また、運転員が、進捗状況画面２１１に示す工程Ａに対応する運転手順確認ボタンＨａを指などで触れることにより、図４に示すような工程Ａに関する運転手順ウィンドウ７０が、進捗状況画面２１１に重ねて表示される。ここでは、工程Ａに関する運転手順ウィンドウ７０を一例としてとりあげたが、その他の工程Ｂ〜Ｄに関する運転手順ウィンドウ７０も同様に表示させることができる。この運転手順ウィンドウ７０は、運転員に対してプラント８の確認操作を促し、確実にプラント８の確認操作を行わせることができる。
【００４７】
図示するように、「（１）チェックシートＮＯ．１に従い、現場確認実施」、「（２）ポンプ起動準備整えば起動前確認をＯＮする」および「（３）ポンプ正常起動ならば吐出弁を開け確認ＯＮ」などの運転手順が、操作順に配置してある。さらに、プラント８の運転操作において、半自動運転の自動化部分または手動確認操作の区別を明確に示すために、「（４）ＣＶが３０％まで徐々に開く」のように半自動運転の自動化部分に関する文章に下線を付けてある。なお、本実施の形態では、半自動運転の自動化部分に関する文章に下線を付けてあるが、表示色の変更などの方法によって半自動運転の自動化部分と手動確認操作とを識別表示することもできる。
【００４８】
図５は、図２に示したプラント８の運転の進捗状況画面２１１の上位階層画面２１２を表示する例である。この例では、上位階層画面２１２は、プラント８およびプラント８以外の同等または類似の他のプラントの運転の進捗状況を示しており、ここでは、プラント８およびその他のプラントを説明の都合上、それぞれ「系列１」、「系列２」、「系列３」と称する。なお、系列数に関しては、３系列に限るものではない。プラントの全体構成により系列数は決められる。
【００４９】
上位階層画面２１２において、系列１の系列表示ブロック３０、系列２の系列表示ブロック４０および系列３の系列表示ブロック５０が縦に配置され、各系列の右側には、関連する工程表示ブロック３１０〜３４０，４１０〜４３０，５１０〜５３０が工程順に並べて配置されている。
【００５０】
各系列の系列表示ブロック３０、４０、５０および工程表示ブロック３１０〜３４０、４１０〜４３０、５１０〜５３０は、プラント８の運転の進捗状況に合わせて表示色が変更される。例えば、系列１の系列表示ブロック３０および工程Ａの工程表示ブロック３１０の表示色が実行中を示す色に変更されている場合、運転員は、表示色が実行中を示す色に変更された工程表示ブロック３１０を指などで触れることにより、図２に示す進捗状況画面２１１が表示される。なお、工程表示ブロック３１０の表示色が実行中を示す色に変更されていなくても、運転員は必要に応じて、工程表示ブロック３１０を指などで触れることにより、図２に示す進捗状況画面２１１を表示させることもできる。
【００５１】
【発明の効果】
本発明に係る前記プラント運転支援装置によれば、プラントの半自動運転の手動確認操作および工程の進捗状況などに関する情報が分かりやすく表示され、運転員と監視制御装置とが対話形式でプラントの運転を進められるようにしてあるので、運転員に対する負担を軽減することができる。
【図面の簡単な説明】
【図１】  本発明に係るプラント運転支援装置と該装置が制御対象とするプラントとの全体構成例を示す図である。
【図２】  プラント運転の進捗状況画面である。
【図３】  操作確認ダイアログを呼出した状態のプラント運転の進捗状況画面である。
【図４】  運転手順ウィンドウを呼出した状態のプラント運転の進捗状況画面である。
【図５】  図２の上位階層画面であるプラント全体の運転進捗状況画面である。
【符号の説明】
１      プラント運転支援装置
８      プラント
１０    プラント運転補助用計算機
２０    監視制御装置
２１１  進捗状況画面
６０    操作確認ダイアログ
７０    運転手順ウィンドウ
３１０〜３４０  工程表示ブロック
４１０〜４３０  工程表示ブロック
５１０〜５３０  工程表示ブロック
３１１〜３１４  確認操作ブロック
３２１〜３２３  確認操作ブロック
３３１〜３３３  確認操作ブロック
３４１〜３４２  確認操作ブロック
３０〜５０      系列表示ブロック
【図１】
0003709367.tif 000002
【図２】
0003709367.tif 000003
【図３】
0003709367.tif 000004
【図４】
0003709367.tif 000005
【図５】
0003709367.tif 000006